(57)【特許請求の範囲】
【請求項１】
スコットラッセル機構を、取付ベースに固定された支軸を有する駆動用レバーと、一端が主装飾体に軸着され他端が取付ベースに摺動可能に支承され且つ中間部に前記駆動用レバーの先端が軸着された昇降用レバーとからなるものとして、取付ベースの左右に対向させて配置した一対の前記スコットラッセル機構により昇降される主装飾体を備えた遊技機の可動装飾装置において、
左右の前記昇降用レバーの途中に、又は左右の駆動用レバーの途中に、補助部材を連結したうえに、この補助部材に副装飾体を取り付けて、副装飾体の昇降速度を主装飾体の昇降速度より小さくするとともに、前記補助部材には、前記取付ベースに設けた上下方向に延伸するガイドレールと係合するガイド部を設けて、副装飾体を上下方向に直線運動させるようにしたことを特徴とする遊技機の可動装飾装置。
【請求項２】
補助部材を昇降用レバーの中間部に設けて、副装飾体の昇降速度を主装飾体の昇降速度の半分とした請求項１に記載の遊技機の可動装飾装置。
【請求項３】
左右のスコットラッセル機構を連結部材で接続して、一つの駆動モータで駆動させるようにした請求項１又は２に記載の遊技機の可動装飾装置。
【発明の詳細な説明】
【技術分野】
【０００１】
本発明は、遊技機のセンター役物に用いられる可動装飾装置に関するものである。
【背景技術】
【０００２】
パチンコ機の遊技領域の中央部には通常図柄表示装置を備えたセンター役物が配設されている。図柄表示装置の周辺には遊技の興趣を盛り上げるために可動装飾装置を配置した、出願人の出願に係る特許文献１に開示されたものがある。この文献の図１２〜１９には、前後に配置した１Ａと１Ｂとの二つの装飾体を上下方向に直線運動させるようにした可動装飾装置が記載されている。すなわち、一方の装飾体１Ａはスコットラッセル機構２ａ、２ｂを介して左側のモータＭ１に接続されている（図１５、１６）。他方の装飾体１Ｂはスコットラッセル機構２ｃ、２ｄを介して右側のモータＭ２に接続されている（図１７、１８）。
【０００３】
以上のように従来のものは、二つの装飾体を駆動させるにはスコットラッセル機構が二対必要であったので、構造が複雑となって、部品点数も多くなり製造コストが高くなるという欠点があった。また、二つの装飾体を異なる速度で移動させるような場合には、それぞれの装飾体を駆動させるモータを連動させて制御する必要があり、別途電気的制御を行うための制御基板を設ける必要があった。
【先行技術文献】
【特許文献】
【０００４】
【特許文献１】特開２００９−２９１２９０号公報      （図１３）
【発明の概要】
【発明が解決しようとする課題】
【０００５】
本発明は、上記した従来の問題点に鑑み、左右一対のスコットラッセル機構により二つの装飾体を異なる速度で移動させることができる遊技機の可動装飾装置を提供することを課題とする。
【課題を解決するための手段】
【０００６】
上記の課題を解決するためになされた本発明に係る遊技機の可動装飾装置は、スコットラッセル機構を、取付ベースに固定された支軸を有する駆動用レバーと、一端が主装飾体に軸着され他端が取付ベースに摺動可能に支承され且つ中間部に前記駆動用レバーの先端が軸着された昇降用レバーとからなるものとして、取付ベースの左右に対向させて配置した一対の前記スコットラッセル機構により昇降される主装飾体を備えた遊技機の可動装飾装置において、
左右の前記昇降用レバーの途中に、又は左右の駆動用レバーの途中に、補助部材を連結したうえに、この補助部材に副装飾体を取り付けて、副装飾体の昇降速度を主装飾体の昇降速度より小さくするとともに、前記補助部材には、前記取付ベースに設けた上下方向に延伸するガイドレールと係合するガイド部を設けて、副装飾体を上下方向に直線運動させるようにしたことを特徴とするものである。
【０００７】
上記した発明において、補助部材を昇降用レバーの中間部に設けることができ、左右のスコットラッセル機構を連結部材で接続して、一つの駆動モータで駆動させるようにすることができる。
【発明の効果】
【０００８】
本発明の遊技機の可動装飾装置は、主装飾体を昇降させる昇降用レバーの途中に、副装飾体の補助部材が連結されているので、昇降用レバーの先端に取り付けられた主装飾体より昇降速度を小さいものとすることができる。また、副装飾体をガイドレール上をスライドさせることにより副装飾体をがたつくことなく上下動させることができる。昇降用レバーの中間部、すなわち真ん中に前記補助部材を連結した場合には、副装飾体の昇降速度を主装飾体の半分とすることができる。
【０００９】
左右のスコットラッセル機構を連結部材で接続することによって、一つの駆動モータで駆動させることができる。
【図面の簡単な説明】
【００１０】
【図１】装飾体が降下状態にある可動装飾装置の表側斜視図である。
【図２】図１の可動装着装置の裏側斜視図である。
【図３】図１の可動装飾装置のうち主装飾体の駆動機構を示す斜視図である。
【図４】図１の可動装飾装置のうち副装飾体の駆動機構を示す斜視図である。
【図５】装飾体が中間状態にある可動装飾装置の斜視図である。
【図６】図５の可動装飾装置のうち主装飾体の駆動機構を示す斜視図である。
【図７】図５の可動装飾装置のうち副装飾体の駆動機構を示す斜視図である。
【図８】装飾体が上昇状態にある可動装飾装置の斜視図である。
【図９】図８の可動装飾装置のうち主装飾体の駆動機構を示す斜視図である。
【図１０】図８の可動装飾装置のうち副装飾体の駆動機構を示す斜視図である。
【図１１】図１の可動装飾装置の正面図である。
【図１２】図１の可動装飾装置の平面図である。
【図１３】図１の可動装飾装置の側面図である。
【発明を実施するための形態】
【００１１】
以下に、本発明の実施形態に付いて説明する。
図１は、遊技の内容が大当たりなどの特別遊技状態となって、上昇されて待機していた主装飾体２、副装飾体８が、降下した演出状態にある可動装飾装置の表側斜視図である。また、図２は、その裏側斜視図であって取付ベース１を省略した図、図３は、図１のうち主装飾体２の駆動機構を示す斜視図、図４は、図１のうち副装飾体８の駆動機構を示す斜視図である。
【００１２】
始めに図３に基づいて主装飾体２の駆動機構について説明する。３は駆動用部材であって、取付ベース１に固定された支軸Ｐ点を中心に回動する。４は主装飾体２を昇降させるための昇降用レバーである。駆動用部材３は、Ｑ点とＰ点とで構成される駆動用レバー３１と、Ｔ点とＰ点とで構成される駆動力伝達レバー３２と、Ｕ点とＰ点とからなる回動力伝達レバー３３とを有する。
【００１３】
ここで、Ｑ点は、昇降用レバー４の両端のＲ点とＳ点との中間すなわち真ん中に設けられた回動軸である。また、Ｔ点はモータロッド５の先端の回動軸であり、モータロッド５の基端は駆動軸Ｖに取り付けられている。駆動軸Ｖは駆動モータＭの回転軸Ｍ１を中心に回動する駆動片９の先端に軸着されていて、回転軸Ｍ１を中心に回動する。また、Ｕ点は左右のスコットラッセル機構を接続するための連結ロッド６の一端の回動軸である。
【００１４】
昇降用レバー４は基端にＳ点を有し、Ｓ点は取付ベース１に設けた横穴１１内を水平方向に摺動する。Ｒ点は主装飾体２の上部に設けられた回動軸である。ここでＰＱ＝ＲＱ＝ＳＱとしてあるので、これらの点によりスコットラッセル機構が構成されており、Ｒ点は上下方向に直線運動することができる。
【００１５】
図３中の左側には右側のスコットラッセル機構に対向して対をなすスコットラッセル機構が設けられている。このスコットラッセル機構はＰ’、Ｑ’、Ｒ’、Ｓ’点を有し、それぞれの点は前記したＰ、Ｑ、Ｒ、Ｓ点に対応する。Ｓ’点は、横穴１２内を水平方向に摺動する。Ｐ’Ｑ’＝Ｒ’Ｑ’＝Ｓ’Ｑ’としてあるので、Ｒ’点は上下方向に直線運動することができる。
【００１６】
Ｕ、Ｕ’点を結んで連結ロッド６が取り付けられており、左右のスコットラッセル機構は一つの駆動モータＭで駆動することができる。例えばＴ点が反時計回りに回転されると、昇降用レバー４はＳ点を中心に時計回りに回動されて、Ｑ点は上昇されＲ点も上昇する。Ｓ点は横穴１１内を右方にスライドする。Ｕ点も反時計回りに回転されるので、連結ロッド６はＰ’点を中心にＵ’点を時計回りに回転させる。これによってＱ’点も上昇されるのでＲ’点も上昇される。なお、Ｓ’点は横穴１２内を左方にスライドする。主装飾体２は、当然にＲ、Ｒ’点の昇降速度でもって上昇される。
【００１７】
次に副装飾体８の駆動機構について説明する。
図４において、左右の昇降用部材４、４’の中間部のＱ、Ｑ’点をつないで補助部材７が配設されている。Ｑ、Ｑ’点は、両端に設けられた横穴７１、７１’内を摺動する（図２、４）。補助部材７の裏側には、上下に２つのガイド部８１、８２が設けられ、これらのガイド部８１、８２に棒状の縦レール１３が差し込まれて係合されている（図２）。これによって副装飾体８をがたつくことなく昇降させることができる。
【００１８】
副装飾体８はＱ、Ｑ’点の昇降速度をもって上下方向に昇降する。ＳＱの長さはＳＲの半分、Ｓ’Ｑ’の長さはＳ’Ｒ’の半分であるので、副装飾体８は、Ｒ、Ｒ’点に取り付けられた主装飾体２の半分の速度で昇降する。なお、補助部材７はＲＱ、Ｒ’Ｑ’の間、ＳＱ，Ｓ’Ｑ’の間に取り付けることができるし、駆動用レバー３１、３１’のＰＱ、Ｐ’Ｑ’間に取り付けることもできる。ＳＱ，Ｓ’Ｑ’間、ＰＱ、Ｐ’Ｑ’間に取り付けた場合にはＱ点に取り付けた場合よりも小さい速度で副装飾体８は昇降する。ＲＱ、Ｒ’Ｑ’間に取り付けた場合にはＱ点に取り付けた場合よりも大きい速度で昇降するが、主装飾体２の昇降速度よりは小さい。
【００１９】
以上のように降下されていた主装飾体２、副装飾体８は、大当たりなどの特別遊技状態が終了したときには、上昇されることとなる。すなわち、主装飾体２は図３の降下状態から図６の中間状態、図９の上昇状態へと移行し、副装飾体８は図４の降下状態から図７の中間状態、図１０の上昇状態へと移行する。
【００２０】
すなわち、駆動モータＭの回転軸Ｍ１が反時計回りに回動されて駆動片９も反時計回りに回動される。これによってＴ点は図３中右方に移動するので、駆動用部材３はＰ点を中心に反時計回りに回動される。この結果、駆動用レバー３１先端のＱ点は上昇し昇降用レバー４はＳ点を中心に時計回りに回動されるのでＲ点は上昇する。ＰＱ＝ＲＱとしてあるので、Ｒ点はＱ点の２倍の距離上昇することになる。
【００２１】
回動力伝達レバー３３のＵ点が反時計回り方向に回動されるので、Ｕ’点は図３から図６、図９の状態へと下方に引き下げられる。この結果左側の駆動用部材３’は、Ｐ’点を中心に時計回り方向に回動されるので、Ｑ’点は図３、図６、図９の状態へと上昇される。昇降用レバー４’は反時計回り方向に回動されてＲ’点は上昇する。Ｐ’Ｑ’＝Ｒ’Ｑ’としてあるので、Ｒ’点はＱ’点の２倍の距離上昇することになる。よって主装飾体２は、左右のバランスを保って上昇されて、待機状態へと戻される。
【００２２】
以上のようにＱ点、Ｑ’点は上昇されるので、これに接続された補助部材７も上昇され、補助部材７に取り付けられた副装飾体８も、図４から図７、図１０の状態へと上昇される。ＰＱ＝ＲＱ、Ｐ’Ｑ’＝Ｒ’Ｑ’としてあるので、Ｑ、Ｑ’点はＲ、Ｒ’点の半分の距離上昇することになる。
【００２３】
主装飾体２、副装飾体８が上昇後に大当たりが発生した場合には駆動モータＭの回転軸Ｍ１を時計回りに回転させれば、主装飾体２を図９の状態から図６を経て図３の状態に、副装飾体８を図１０の状態から図７を経て図４の状態に降下させることができる。以上のように、一つの駆動モータＭにより、主装飾体２と副装飾体８とを異なる速度で昇降させることができる。
【符号の説明】
【００２４】
１  取付ベース、２  主装飾体、３、３’  駆動用部材、４、４’  昇降用レバー、５  モータロッド、６  連結ロッド、７  補助部材、８  副装飾体、３１、３１’  駆動用レバー、Ｐ、Ｐ’  支軸
【図１】
0005593513.tif 000002
【図２】
0005593513.tif 000003
【図３】
0005593513.tif 000004
【図４】
0005593513.tif 000005
【図５】
0005593513.tif 000006
【図６】
0005593513.tif 000007
【図７】
0005593513.tif 000008
【図８】
0005593513.tif 000009
【図９】
0005593513.tif 000010
【図１０】
0005593513.tif 000011
【図１１】
0005593513.tif 000012
【図１２】
0005593513.tif 000013
【図１３】
0005593513.tif 000014